(57)【要約】【課題】複雑な複写設定を容易かつ確実に自動設定できるようにする。【解決手段】表面に画像情報Ａ１を、裏面に画像情報Ａ１を複写するための設定情報Ａ２を、それぞれ記録した原稿Ａの両面を読み取り、裏面から読み取った設定情報Ａ２の複写設定に基づいて、表面から読み取った画像情報Ａ１を複写する。例えば、直前の複写においての印刷設定が、原稿色は「カラー」、原稿種類は「複合画像データ」であるとき、上記の設定情報Ａ２に基づいて、印刷設定を「複合画像」から「文字」に変更して、複合画像データとして読み取った画像情報Ａ１を文字データ印刷用に変換し、印刷設定を「複合画像」から「写真画像」に変更して、複合画像データとして読み取った画像情報Ａ１を写真画像印刷用に変換し、さらに印刷設定を「カラー」から「モノクロ」に変更して、カラー原稿として読み取った画像情報Ａ１をモノクロ画像に変換し、この編集した画像情報Ａ１を印刷する。【選択図】        図１
2006237667.tif 000002
【特許請求の範囲】
【請求項１】
複写装置によって複写される画像情報が記録された１枚の複写原稿において、
上記画像情報が、表面に記録されており、
上記複写装置によって読取可能な情報であって上記画像情報を複写するための設定情報が、裏面に記録されている
ことを特徴とする複写原稿。
【請求項２】
請求項１に記載の複写原稿において、
上記設定情報は、上記裏面のプレフィードエリアに記録されていることを特徴とする複写原稿。
【請求項３】
請求項１に記載の複写原稿において、
上記設定情報は、複写される画像の種類を特定する情報または／および複写される画像の色を特定する情報を含むことを特徴とする複写原稿。
【請求項４】
複写原稿に記録されている画像情報を複写する複写装置において、
上記複写原稿の表面に記録されている上記画像情報を読み取るとともに、上記複写原稿の裏面の情報を読み取る読取手段と、
上記複写原稿の裏面から読み取られた情報であって上記画像情報を複写するための設定情報に基づいた印刷設定で、上記読み取られた画像情報を印刷する印刷手段と
を備えた
ことを特徴とする複写装置。
【請求項５】
請求項４記載の複写装置において、
上記印刷手段は、上記複写原稿の裏面から上記設定情報が読み取られたときには、その設定情報に基づいた印刷設定で印刷し、上記複写原稿の裏面から上記設定情報が読み取られなかったときには、その直前の印刷と同じ印刷設定で印刷することを特徴とする複写装置。
【請求項６】
請求項４に記載の複写装置において、
上記読取手段は、
上記複写原稿の表面の情報を読み取る表面読取手段と、
上記複写原稿の裏面の情報を読み取る裏面読取手段と
を有し、
上記表面読取手段は、上記裏面読取手段によって上記複写原稿の裏面から読み取られた情報であって上記画像情報を複写するための設定情報に基づいた読取設定で、上記複写原稿の表面に記録された上記画像情報を読み取る
ことを特徴とする複写装置。
【請求項７】
請求項６に記載の複写装置において、
上記表面読取手段は、上記複写原稿の裏面から上記設定情報が読み取られたときには、その設定情報に基づいた読取設定で読み取り、上記複写原稿の裏面から上記設定情報が読み取られなかったときには、その直前の表面読取と同じ読取設定で読み取ることを特徴とする複写装置。
【請求項８】
請求項４記載の複写装置において、
上記読取手段は、上記複写原稿の１回の搬送で、上記複写原稿の両面の情報を読み取る  ことを特徴とする複写装置。
【請求項９】
請求項４に記載の複写装置において、
上記読取手段は、
上記複写原稿の表面の情報を読み取る表面読取手段と、
上記複写原稿の裏面の情報を読み取る裏面読取手段と
を有し、
上記裏面読取手段は、上記複写原稿のプレフィード搬送位置よりも原稿搬送経路の上流に設置されて、上記複写原稿が上記プレフィード搬送位置に搬送されるまでに、上記複写原稿のプレフィードエリアの情報を読み取り、
上記表面読取手段は、上記裏面読取手段よりも上記原稿搬送経路の下流に設置されて、上記裏面読取手段よって上記プレフィードエリアの情報が読み取られてから、上記複写原稿の表面の情報を読み取る
ことを特徴とする複写装置。
【請求項１０】
複写原稿に記録されている画像情報を複写する複写方法において、
上記複写原稿の裏面から読み取った情報であって上記画像情報を複写するための設定情報に基づいて、上記複写原稿の表面から読み取った上記画像情報を複写することを特徴とする複写方法。
【請求項１１】
請求項１０に記載の複写方法において、
上記複写原稿の裏面に記録されている情報であって上記画像情報を複写するための設定情報を読み取るとともに、上記複写原稿の表面に記録されている上記画像情報を読み取るステップと、
上記読み取った設定情報に基づいて、上記読み取った画像情報を複写するステップと
を含む
ことを特徴とする複写方法。
【請求項１２】
請求項１０に記載の複写方法において、
上記複写原稿の裏面に記録されている情報であって上記画像情報を複写するための設定情報を読み取るステップと、
上記読み取った設定情報に基づいて、上記複写原稿の表面に記録されている上記画像情報を読み取るステップと、
上記読み取った画像情報を、上記読み取った設定情報に基づいて複写するステップと
を含む
ことを特徴とする複写方法。
【請求項１３】
裏面に上記設定情報が記録された上記複写原稿を１枚以上含む複写原稿組を複写する請求項１０に記載の複写方法において、
上記複写原稿組の複写原稿の裏面から上記設定情報を検出するステップと、
上記検出した設定情報に基づいて、その設定情報を検出した複写原稿以降の複写設定を変更するステップと
を含む
ことを特徴とする複写方法。
【発明の詳細な説明】
【技術分野】
【０００１】
本発明は、複写される画像情報が記録されている複写原稿、ならびに複写原稿の画像情報を複写する複写装置および複写方法に関するものである。
【背景技術】
【０００２】
従来の複写装置では、複数の原稿組に対し、それぞれの印刷設定用の識別用紙を設け、原稿組ごとに挿入することによって、原稿組ごとの印刷設定を自動で変更することが可能であった（特許文献１参照）。
【０００３】
【特許文献１】特開平１１−２０５４９４号公報
【発明の開示】
【発明が解決しようとする課題】
【０００４】
しかしながら、上記従来の複写装置では、識別用紙は原稿から独立しているため、挿入箇所を間違えやすいという課題があった。
【０００５】
本発明は、このような従来の課題を解決するためになされたものであり、複雑な複写設定を容易かつ確実に自動設定できるようにすることを目的とするものである。
【課題を解決するための手段】
【０００６】
本発明の複写原稿は、複写装置によって複写される画像情報が記録された１枚の複写原稿において、上記画像情報が、表面に記録されており、上記複写装置によって読取可能な情報であって上記画像情報を複写するための設定情報が、裏面に記録されている
ことを特徴とする複写原稿。
【０００７】
また、本発明の複写装置は、複写原稿に記録されている画像情報を複写する複写装置において、上記複写原稿の表面に記録されている上記画像情報を読み取るとともに、上記複写原稿の裏面の情報を読み取る読取手段と、上記複写原稿の裏面から読み取られた情報であって上記画像情報を複写するための設定情報に基づいた印刷設定で、上記読み取られた画像情報を印刷する印刷手段とを備えたことを特徴とする。
【０００８】
また、本発明の複写方法は、複写原稿に記録されている画像情報を複写する複写方法において、上記複写原稿の裏面から読み取った情報であって上記画像情報を複写するための設定情報に基づいて、上記複写原稿の表面から読み取った上記画像情報を複写することを特徴とする。
【発明の効果】
【０００９】
本発明によれば、複写原稿の裏面に記録されている設定情報を読み取り、その設定情報に基づいて、複写原稿の表面から読み取った画像情報を複写することにより、複雑な複写設定を容易かつ確実に自動設定できるという効果がある。
【発明を実施するための最良の形態】
【００１０】
実施の形態１
図１は本発明の実施の形態１において使用する原稿Ａの構成図である。図１において、原稿Ａは、表面に画像情報Ａ１が印刷され、裏面のプレフィードエリア内に設定情報Ａ２が印刷された１枚の原稿である。画像情報Ａ１は、複写装置によって複写される画像のデータである。設定情報Ａ２は、画像情報Ａ１を複写するための適切な複写装置の設定を表すバーコードである。
【００１１】
原稿Ａの上記プレフィードエリアは、複写装置においてプレフィードされる原稿Ａのエリアであり、原稿Ａにおいて、複写装置での搬送方向の先頭端部から所定の幅Ｗのエリアである。
【００１２】
図２は原稿Ａの裏面に記録される設定情報Ａ２の構成を説明する図である。図２において、設定情報Ａ２は、原稿種類Ａ２−１と、原稿色Ａ２−２とによって構成されている。原稿種類Ａ２−１は、画像情報Ａ１が「文字データ」なのか、「写真画像データ」なのか、文字と写真画像の両方を含む「複合画像データ」なのかを表す。原稿色Ａ２−２は、画像情報Ａ１が、「モノクロ」なのか、「カラー」なのかを表す。
【００１３】
図３は本発明の実施の形態１の複写装置Ｂのシステム構成図である。図３において、複写装置Ｂは、オペレータによるコマンド入力を可能にする操作部１と、オペレータに装置状態を通知する表示部２と、原稿の両面の情報を１回のパス（原稿搬送）で読み取り、複数の原稿を連続して読み取り可能な読取部１１と、原稿の裏面から読み取られた設定情報に基づいて、原稿の表面から読み取られた画像情報を印刷する印刷部１２とを備えている。
【００１４】
図４は読取部１１の構成図である。図４において、読取部１１は、原稿が挿入されたことを検知し、さらに原稿のページ単位の先頭と末尾を検知可能な原稿検知センサ１０１と、原稿を装置内に搬送する搬送ローラ１０２，１０３と、原稿の裏面を読み取る裏面読取部１０４と、原稿のプレフィードが完了したこと（原稿がプレフィード搬送位置に搬送されたこと）を検知し、さらに原稿のページ単位の先頭と末尾を検知可能なプレフィードセンサ１０５と、原稿の表面を読み取る表面読取部１０６と、原稿を装置外に搬送する搬送ローラ１０７，１０８と、原稿の排出を検知し、特に原稿のページ単位の末尾を検知可能な原稿排出センサ１０９とによって構成されている。
【００１５】
複写装置Ｂにおいての上記プレフィード搬送位置は、搬送される原稿の先頭がプレフィードセンサ１０５の原稿検知位置に達したときの原稿の搬送位置である。原稿のプレフィードが完了したとき（原稿がプレフィード搬送位置に搬送されたとき）、原稿のプレフィードエリアの末尾は、プレフィードセンサ１０５の原稿検出位置から原稿搬送経路の上流に距離Ｗ（＝プレフィードエリアの幅）に位置する。
【００１６】
裏面読取部１０４は、原稿の裏面に記録された情報（プレフィードエリアに記録された設定情報を含む）の読み取りが可能であり、表面読取部１０６は、原稿の表面に記録された画像情報の読み取りが可能である。
【００１７】
裏面読取部１０４は、上記プレフィード搬送位置よりも原稿搬送経路の上流に設置されており、原稿が上記プレフィード搬送位置に搬送されるまでに、原稿のプレフィードエリアの情報を読み取る。つまり、裏面読取部１０４は、プレフィードセンサ１０５の原稿検出位置から、原稿搬送経路の上流に距離Ｗ以上離れた位置に設置されている。
【００１８】
表面読取部１０６は、裏面読取部１０４よりも原稿搬送経路の下流に設置されており、裏面読取部１０４よって原稿の裏面のプレフィードエリアの情報が読み取られ、原稿が上記プレフィード搬送位置よりも原稿搬送経路の下流に搬送されてから、原稿の表面の画像情報を読み取る。
【００１９】
図５は複写装置Ｂのモジュール構成図である。図５において、複写装置Ｂは、上記構成の操作部１と表示部２と読取部１１と印刷部１２に加え、読取部１１のフィーダに未読み取り原稿があることを検出し、読取部１１で読み取られたデータから設定情報Ａ２を検出する検出部１３と、設定情報Ａ２を解析し、画像情報Ａ１を設定情報Ａ２に基づいて編集する編集部１４と、画像情報Ａ１や設定情報Ａ２や編集部１４で編集したデータを保存する記憶部１５と、これらのモジュールを制御し、複写動作を可能にする制御部１０とを備えている。
【００２０】
図６は本発明の実施の形態１においての複写操作手順を説明する図である。複写装置Ｂのオペレータは、原稿を読取部１１にセットし（ステップＳ１）、続いて、操作部１から複写処理の実行を入力する（ステップＳ２）。すると、複写装置Ｂは、複写処理（下記図７のステップＳ３〜Ｓ８）を実行し、表示部２に複写処理が完了したことを表示する（ステップＳ１０）。
【００２１】
図７は上記図６のステップＳ１の原稿セット手順においての原稿Ａのセット方向を説明する図である。図７のように、上記ステップＳ１では、画像情報Ａ１が記録されている原稿Ａの表面を表向き（上向き）にセットし、原稿Ａ裏面のプレフィードエリアに記録されている設定情報Ａ２の先頭から読み取り開始できるように、設定情報Ａ２の先頭方向を原稿搬送方向と同じ向きにセットする。
【００２２】
図８は複写装置Ｂにおいての複写処理を説明するフローチャートである。原稿検知センサ１０１で原稿を検知すると、検出部１３で未読み取り原稿があるか否かを検出し（ステップＳ３）、未読み取り原稿がある場合は、原稿を１枚読み取るごとに、ステップＳ３〜Ｓ８の複写処理を繰り返し実行し、未読み取り原稿がない場合は、複写処理を終了する。
【００２３】
読取部１１は、原稿検知センサ１０１で原稿を検知すると、搬送ローラ１０２，１０３，１０７，１０８を回転して原稿を搬送し、原稿検知センサ１０１が原稿のページの先頭を検知してからページの末尾を検知するまでの間、裏面読取部１０４で原稿Ａの裏面を読み取り、プレフィードセンサ１０５が原稿のページの先頭を検知してからページの末尾を検知するまでの間、表面読取部１０６で原稿の表面を読み取り、原稿排出センサ１０９で原稿の末尾を検知すると、搬送ローラ１０２，１０３，１０７，１０８の回転を停止して、１枚の原稿の両面読取を終了する（ステップＳ４）。
【００２４】
このとき、直前の複写においての複写装置Ｂの読取設定および印刷設定（初期の読取設定および印刷設定）は、原稿色は「カラー」、原稿種類は「複合画像データ」である。
【００２５】
検出部１３は、原稿の裏面および表面の情報が読み取られたことを検出すると、それらの情報を記憶部１５に一時保存し、原稿の裏面の読取情報に設定情報Ａ２が含まれているか否かを検出し、設定情報Ａ２の検出結果を編集部１４に通知する（ステップＳ５）。
【００２６】
上記ステップＳ５で設定情報Ａ２が検出されなかった場合は、編集部１４は、画像情報Ａ１をそのまま編集しない。
【００２７】
一方、上記ステップＳ５で設定情報Ａ２が検出された場合は、編集部１４は、記憶部１５に一時保存された設定情報Ａ２を解析し（ステップＳ６）、設定情報Ａ２の解析結果に基づき、原稿種類Ａ２−１が「文字」の場合は、印刷設定を「複合画像」から「文字」に変更して、複合画像データとして読み取った画像情報Ａ１を文字データ印刷用に変換し、原稿種類Ａ２−１が「写真画像」の場合は、印刷設定を「複合画像」から「写真画像」に変更して、複合画像データとして読み取った画像情報Ａ１を写真画像印刷用に変換し、さらに原稿色Ａ２−２が「モノクロ」の場合は、印刷設定を「カラー」から「モノクロ」に変更して、カラー原稿として読み取った画像情報Ａ１をモノクロ画像に変換し、編集した画像情報Ａ１を記憶部１５に上書き保存する（ステップＳ７）。
【００２８】
そして、設定情報Ａ２が検出されなかった場合は上記ステップＳ５の後、設定情報Ａ２が検出された場合は上記ステップＳ７の後、印刷部１２は、記憶部１５に保存された画像情報Ａ１を印刷用紙の表面に印刷する（ステップＳ８）。
【００２９】
従って、印刷部１２は、原稿の裏面から設定情報Ａ２が読み取られたときには、その設定情報Ａ２に基づいた印刷設定で印刷し、原稿の裏面から設定情報Ａ２が読み取られなかったときには、直前の印刷と同じ印刷設定で印刷する。
【００３０】
このように、検出された設定情報Ａ２に基づいた印刷設定で印刷するので、それぞれ設定情報Ａ２を記録した複数の原稿からなる原稿組を連続して複写する場合には、原稿の１枚単位で、それぞれの原稿から検出された設定情報Ａ２に基づいて印刷設定が自動変更される。
【００３１】
また、設定情報Ａ２が検出されたときには、その設定情報Ａ２に基づいた印刷設定で印刷し、設定情報Ａ２が検出されなかったときには、直前の印刷と同じ印刷設定で印刷するので、設定情報Ａ２を記録した１枚以上の原稿と、設定情報Ａ２を記録していない１枚以上の原稿とによって構成された原稿組を連続して複写する場合には、設定情報Ａ２を検出するごとに、その設定情報Ａ２を検出した原稿以降の印刷設定を、その検出した設定情報Ａ２に基づいて自動変更する。この場合には、原稿１枚単位（設定情報Ａ２を記録した原稿が連続する場合）、あるいは設定情報Ａ２を記録した１枚の原稿とその原稿以降の設定情報Ａ２を記録していない１枚以上の原稿からなる原稿複数枚単位で、検出された設定情報Ａ２に基づいて印刷設定が自動変更される。
【００３２】
以上のように実施の形態１によれば、表面に複写する画像情報が記録されている１枚の原稿の裏面に、その画像情報についての複写の設定情報を記録しておき、原稿の裏面に記録されている設定情報を読み取り、その設定情報に基づいて、原稿の表面から読み取った画像情報を複写することにより、設定情報を他の原稿のものと間違えることなく、複雑な複写設定を容易かつ確実に自動設定できるので、オペレータの操作を軽減し、設定ミスを防止できる。
【００３３】
また、裏面に設定情報を記録した原稿を１枚以上含む原稿組を複写する場合には、複数の原稿を連続して読み取り、設定情報を検出するごとに設定を変更するので、原稿１枚単位であるいは複数枚単位で設定を自動変更できる。
【００３４】
また、複写する画像情報と複写の設定情報とを、原稿の表面と裏面に独立して記録するので、複写した画像の品質に影響が及ばない。
【００３５】
また、原稿を１パスで両面読取することにより、読み取り時間の短縮が可能である。
【００３６】
実施の形態２
本発明の実施の形態２の複写装置の構成は、上記実施の形態１の複写装置Ｂ（図３〜図５参照）と同様であり、使用する原稿の構成は、上記実施の形態１の原稿Ａ（図１，図２参照）と同じであり、さらに、複写操作手順は、上記実施の形態１の複写操作手順（図６参照）と同様であるが、複写装置においての複写処理の内容が一部異なる。
【００３７】
まず、実施の形態２の複写操作手順について、上記実施の形態１の図６を参照して説明する。複写装置Ｂのオペレータは、原稿を読取部１１にセットし（ステップＳ１）、続いて、操作部１から複写処理の実行を入力する（ステップＳ２）。すると、複写装置Ｂは、複写処理（下記図９のステップＳ２０〜Ｓ２７）を実行し、表示部２に複写処理が完了したことを表示する（ステップＳ１０）。なお、上記ステップＳ１の原稿セット手順において、原稿Ａのセット方向は、上記実施の形態１と同様である（図７参照）。
【００３８】
図９は本発明の実施の形態２の複写装置Ｂにおいての複写処理を説明するフローチャートである。原稿検知センサ１０１で原稿を検知すると、検出部１３で未読み取り原稿があるか否かを検出し（ステップＳ２０）、未読み取り原稿がある場合は、原稿を１枚読み取るごとに、ステップＳ２０〜Ｓ２７の複写処理を繰り返し実行し、未読み取り原稿がない場合は、複写処理を終了する。
【００３９】
読取部１１は、原稿検知センサ１０１が原稿のページの先頭を検知してから、プレフィードセンサ１０５が原稿のページの先頭を検知するまでの間、搬送ローラ１０２，１０３を回転して原稿を搬送し、裏面読取部１０４で原稿の裏面のプレフィードエリアの情報を読み取る（ステップＳ２１）。
【００４０】
検出部１３は、原稿の裏面の情報が読み取られたことを検出すると、その情報を記憶部１５に一時保存し、この原稿の裏面の読取情報に設定情報Ａ２が含まれているか否かを検出し、設定情報Ａ２の検出結果を編集部１４に通知する（ステップＳ２２）。
【００４１】
上記ステップＳ２２で設定情報Ａ２が検出されなかった場合は、編集部１４は、記憶部１５に一時保存した情報を消去する（ステップＳ２３）。
【００４２】
このとき、直前の複写においての複写装置Ｂの読取設定および印刷設定（初期の読取設定および印刷設定）は、原稿色は「カラー」、原稿種類は「複合画像データ」である。
【００４３】
一方、上記ステップＳ２２で設定情報Ａ２が検出された場合は、編集部１４は、記憶部１５に一時保存された設定情報Ａ２を解析し（ステップＳ２４）、設定情報Ａ２の解析結果に基づき、原稿種類Ａ２−１が「文字」の場合は、読取設定および印刷設定を「複合画像」から「文字」に変更し、原稿種類Ａ２−１が「写真画像」の場合は、読取設定および印刷設定を「複合画像」から「写真画像」に変更し、さらに原稿色Ａ２−２が「モノクロ」の場合は、読取設定および印刷設定を「カラー」から「モノクロ」に変更する（ステップＳ２５）。
【００４４】
そして、設定情報Ａ２が検出されなかった場合は上記ステップＳ２３の後、設定情報Ａ２が検出された場合は上記ステップＳ２５の後、読取部１１は、搬送ローラ１０２，１０３，１０７，１０８を回転して原稿の搬送を再開し、原稿の搬送を再開してからプレフィードセンサ１０５が原稿のページの末尾を検知するまでの間、表面読取部１０６で原稿を読み取り、原稿排出センサ１０９が原稿のページの末尾を検知すると、搬送ローラ１０２，１０３，１０７，１０８を停止し、原稿１枚分の両面読み取りを終了する（ステップＳ２６）。
【００４５】
この後、印刷部１２は、読み取られた画像情報Ａ１を印刷用紙の表面に印刷する（ステップＳ２７）。
【００４６】
従って、読取部１１の表面読取部１０６は、原稿の裏面から設定情報Ａ２が読み取られたときには、その設定情報Ａ２に基づいた読取設定で原稿の表面を読み取り、原稿の裏面から設定情報Ａ２が読み取らなかったときには、直前の表面読取と同じ読取設定で印刷する。
【００４７】
また、印刷部１２は、原稿の裏面から設定情報Ａ２が読み取られたときには、その設定情報Ａ２に基づいた印刷設定で印刷し、原稿の裏面から設定情報Ａ２が読み取られなかったときには、直前の印刷と同じ印刷設定で印刷する。
【００４８】
このように、検出された設定情報Ａ２に基づいた読取設定で原稿の表面を読み取るとともに、検出された設定情報Ａ２に基づいた印刷設定で印刷するので、それぞれ設定情報Ａ２を記録した複数の原稿からなる原稿組を連続して複写する場合には、原稿の１枚単位で、それぞれの原稿から検出された設定情報Ａ２に基づいて画像情報の読取設定および印刷設定が自動変更される。
【００４９】
また、設定情報Ａ２が検出されたときには、その設定情報Ａ２に基づいた読取設定で原稿の表面を読み取るとともに、その設定情報Ａ２に基づいた印刷設定で印刷し、設定情報Ａ２が検出されなかったときには、直前の表面読取と同じ読取設定で原稿の表面を読み取るとともに、直前の印刷と同じ印刷設定で印刷するので、設定情報Ａ２を記録した１枚以上の原稿と、設定情報Ａ２を記録していない１枚以上の原稿とによって構成された原稿組を連続して複写する場合には、設定情報Ａ２を検出するごとに、その設定情報Ａ２を検出した原稿以降の読取設定および印刷設定を、その検出した設定情報Ａ２に基づいて自動変更する。この場合には、原稿１枚単位（設定情報Ａ２を記録した原稿が連続する場合）、あるいは設定情報Ａ２を記録した１枚の原稿とその原稿以降の設定情報Ａ２を記録していない１枚以上の原稿からなる原稿複数枚単位で、検出された設定情報Ａ２に基づいて読取設定および印刷設定が自動変更される。
【００５０】
以上のように実施の形態２によれば、上記実施の形態１の効果に加え、画像情報の読取設定の変更もできるので、より高品質な複写画像の提供が可能である。
。
【００５１】
なお、上記本発明の実施の形態の原稿Ａでは、図１のように設定情報Ａ２の記録方法としてバーコードを用いたが、本発明は、マークシートやドット配列やカラーパッチなどを設定情報Ａ２の記録方法とする場合にも適用できる。
【００５２】
また、上記本発明の実施の形態の原稿Ａでは、設定情報Ａ２を、裏面のプレフィードエリア内に印刷したが、本発明の原稿は、設定情報をプレフィードエリア内ではない裏面に印刷することも可能である。
【００５３】
また、上記本発明の実施の形態の原稿Ａでは、図２のように設定情報Ａ２は原稿種類Ａ２−１および原稿色Ａ２−２を含む構成としたが、本発明の複写原稿は、設定情報Ａ２を、原稿種類の情報と原稿色の情報のいずれかのみを含む構成とすることも可能である。
【００５４】
また、上記本発明の実施の形態の複写装置Ｂでは、読取部１１にバーコード読取機能を設けたが、本発明は、マークシートやドット配列やカラーパッチなどの読取機能を読取部に設けた場合にも適用できる。
【図面の簡単な説明】
【００５５】
【図１】本発明の実施の形態１において使用する原稿の構成図である。
【図２】本発明の実施の形態１の原稿の裏面に記録される設定情報の構成を説明する図である。
【図３】本発明の実施の形態１の複写装置のシステム構成図である。
【図４】本発明の実施の形態１の複写装置においての読取部の構成図である。
【図５】本発明の実施の形態１の複写装置のモジュール構成図である。
【図６】本発明の実施の形態１においての複写操作手順を説明するフローチャートである。
【図７】図６のステップＳ１の原稿セット手順においての原稿のセット方向を説明する図である。
【図８】本発明の実施の形態１の複写装置においての複写処理を説明するフローチャートである。
【図９】本発明の実施の形態２の複写装置においての複写処理を説明するフローチャートである。
【符号の説明】
【００５６】
１  操作部
２  表示部
１０  制御部
１１  読取部
１２  印刷部
１３  検出部
１４  編集部
１５  記憶部
１０１  原稿検知センサ
１０２，１０３  搬送ローラ
１０４  裏面読取部
１０５  プレフィードセンサ
１０６  表面読取部
１０７，１０８  搬送ローラ
１０９  原稿排出センサ
Ａ  原稿
Ａ１  画像情報
Ａ２  設定情報
Ｂ  複写装置
【図１】
2006237667.tif 000003
【図２】
2006237667.tif 000004
【図３】
2006237667.tif 000005
【図４】
2006237667.tif 000006
【図５】
2006237667.tif 000007
【図６】
2006237667.tif 000008
【図７】
2006237667.tif 000009
【図８】
2006237667.tif 000010
【図９】
2006237667.tif 000011